(57)【特許請求の範囲】
【請求項１】
ケーブル外挿筒体の筒壁に一端面から他端面に亘り延在せるケーブル導入口を形成し、該ケーブル導入口をケーブル外挿筒体の弾性に抗し拡開して架設ケーブルを同外挿筒体内へ導入する構成としたケーブル保護カバーにおいて、上記ケーブル外挿筒体の上記ケーブル導入口とは反対側の筒壁に一端面から他端面に亘り延在せるチャンネル形リブを外方へ向け突設し、他方一端に第１連結ピンを、他端に第２連結ピンを夫々突設した連結具を形成し、該連結具の第１連結ピンを隣接する一方のケーブル保護カバーの上記チャンネル形リブの端部に形成した連結孔に係入すると共に、上記第２連結ピンを隣接する他方のケーブル保護カバーの上記チャンネル形リブの端部に形成した連結孔に係入し、上記第１、第２連結ピンを上記チャンネル形リブ内側の溝内に突出せしめ、上記連結具によりケーブル保護カバー相互の連結を図る構成とし、更に上記連結具は上記チャンネル形リブの左右外側面に嵌合される一対の規制板を有することを特徴とするケーブル保護カバー間連結装置。
【請求項２】
上記連結具を第１連結ピンを中心にして回動し、第２連結ピンを上記チャンネル形リブに設けた第１連結孔と隣接せる捨て孔に係入し上記ケーブル保護カバーに付属せしめる構成としたことを特徴とする請求項１記載のケーブル保護カバー間連結装置。
【発明の詳細な説明】
【０００１】
【発明の属する技術分野】
本発明は架設ケーブルを樹木や建物に接近する部位においてこれを保護する保護カバーに関する。
【０００２】
【従来の技術】
特許文献１はケーブル外挿筒体の筒壁に一端面から他端面に亘り延在せるケーブル導入口を形成し、該ケーブル導入口をケーブル外挿筒体の弾性に抗し拡開して架設ケーブルを同外挿筒体内へ導入する構成としたケーブル保護カバーを示している。
【０００３】
このケーブル保護カバーは架設ケーブルへ連続して外挿され、同ケーブルを一定長に亘り保護するものであるが、上記特許文献１は両カバーの連結手段として、隣接する一方のケーブル保護カバーの端部を同他方の保護カバーの端部内へ圧入し、一方のカバーの端部に設けた連結ピンを他方のカバーの端部に設けた連結孔に係入し、両カバーを連結する方法を教示している。
【０００４】
【特許文献１】
特許第３１８７２７３号公報
【０００５】
【発明が解決しようとする課題】
然しながら特許文献１は同一口径の保護カバーを相互に圧入して上記連結ピンと連結孔を係入するとしているが、圧入によって一方端を拡径するか又は他方端を縮径して連結ピンと連結孔を適正に係入することは、保護カバーが硬質の材質から成ることに鑑み、極めて困難な設計仕様と言え、拡径又は縮径が可能であるとしても、圧入によって拡径端又は縮径端に傾斜を生じ、加えて連結ピンが圧入の障害となり、結局は連結ピンと連結孔の適正な係合が図り難い問題点を有している。
【０００６】
又例えば保護カバーの一端口径を小口径にし、他端口径を大口径にすることによって隣接する保護カバー相互間の嵌合を容易にすることができるが、このような二段径構造の保護カバーを押出成形によって製造することは困難であり、押出成形による安価なる利点を享受できない。
【０００７】
【課題を解決するための手段】
本発明は上記特許文献１におけるケーブル保護カバー間連結装置の問題点である連結不全を改善し、押出成形によって安価に提供し得るケーブル保護カバー間連結装置を提供するものである。
【０００８】
要述すると、本発明は隣接するケーブル保護カバー間の連結手段として、上記ケーブル外挿筒体の上記ケーブル導入口とは反対側の筒壁に一端面から他端面に亘り延在せるチャンネル形リブを外方へ向け突設し、他方一端に第１連結ピンを、他端に第２連結ピンを夫々突設した連結具を用意し、該連結具の第１連結ピンを隣接する一方のケーブル保護カバーの上記チャンネル形リブの端部に形成した連結孔に係入すると共に、上記第２連結ピンを隣接する他方のケーブル保護カバーの上記チャンネル形リブの端部に形成した連結孔に係入し、上記第１、第２連結ピンを上記チャンネル形リブ内側の溝内に突出せしめてケーブル保護カバー相互の連結を図る構成を有する。
【０００９】
これにより口径が同じケーブル保護カバー相互を単に突き合わせ、突き合わせ端部間に連結具を押し込むのみで、容易にカバー相互の連結が行える。
【００１０】
又チャンネル形リブ内側の溝内に連結ピンを受容してケーブル外挿筒体のケーブル貫挿腔内への突出を防止し、ケーブル保護カバーを架設ケーブルに沿って円滑に移動でき、この移動の際の連結ピンによるケーブル損傷を回避する。
【００１１】
加えて上記構造のケーブル保護カバーは押出成形によって安価に製造し得る。
【００１２】
上記連結具には上記チャンネル形リブの左右外側面に嵌合される一対の規制板を設けて連結孔と連結ピンの相対位置を確保し、連結孔への係入を容易にする。
【００１３】
又上記連結具は第１連結ピンを中心にして回動できるようにし、該回動によって第２連結ピンを上記チャンネル形リブに設けた第１連結孔と隣接せる捨て孔に係入し、上記ケーブル保護カバーのチャンネル形リブに付属せしめる構成とし、ケーブル保護カバーと一体化して備蓄、運搬、使用が行えるようにする。
【００１４】
【発明の実施の形態】
以下本発明の実施の形態を図１乃至図８に基づき説明する。１はケーブル保護カバー本体を形成するケーブル外挿筒体であり、図１に示すように、該ケーブル外挿筒体１は一端面と他端面で開放せる円筒体にて形成され、その筒壁２を一端面から他端面に亘り一母線上において割設し延在せしめたケーブル導入口３を有する。
【００１５】
架設ケーブル４は上記ケーブル導入口３をケーブル外挿筒体１の弾性に抗し拡開して同外挿筒体１のケーブル貫挿腔８内へ導入する。
【００１６】
上記ケーブル導入口３には既知の開き止め手段５を付設する。例えば図示のように、ケーブル導入口３によって二分される左側ケーブル外挿筒体部分の口縁部と右側ケーブル外挿筒体部分の口縁部にフック掛けされる係止片６，７を設け、両係止片６，７をケーブル外挿筒体１の弾性に抗して係脱可にフック掛けし、閉合を保持する。
【００１７】
上記ケーブル外挿筒体１と係止片６，７とは合成樹脂にて一体成形し、即ち押出成形し、図３に破線示するように、係止片６，７のフック掛けを解除してケーブル導入口３を開放し、該ケーブル導入口３から架設ケーブル４をケーブル外挿筒体１内へ導入し、図３，図４に示すように、導入後係止片６，７をフック掛けしてケーブル導入口３の閉鎖を保持し、架設ケーブル４への外挿状態を保持する。
【００１８】
上記架設ケーブル４は例えば電柱に架設されたケーブルであり、例えば電力ケーブル、通信ケーブル、光ケーブル等であり、又これらケーブルを吊持する吊り線１１等を含む。
【００１９】
上記架設ケーブル４及び吊り線１１に、図４に示す如きスパイラルハンガーと称される既知の緩螺旋形状をしたケーブル支持具９を巻装して架設ケーブル４を束縛する。このケーブル支持具９は両端に接続具１０を有し、各接続具１０を以って接続することにより、多数のケーブル支持具９を以って一定の径間に亘り架設ケーブル４を支持する。
【００２０】
上記ケーブル支持具９を巻装した架設ケーブル４及び吊り線１１に、その保護を必要とする部位において上記ケーブル外挿筒体１を外挿し、該ケーブル外挿筒体１を架設ケーブル４に沿って移動しつつ、次のケーブル外挿筒体１を外挿し、複数のケーブル外挿筒体１を以って架設ケーブル４を保護する。
【００２１】
これら隣接するケーブル外挿筒体１の連結手段、即ちケーブル保護カバー間の連結手段として、上記ケーブル外挿筒体１の上記ケーブル導入口３とは反対側の筒壁２に一端面から他端面に亘り一母線上に沿って延在せるチャンネル形リブ１２を外方へ向け突設する。
【００２２】
例えば上記チャンネル形リブ１２を上記ケーブル導入口３とは１８０度反対側に配設する。即ち両者１２，３をケーブル外挿筒体１の直径線上の両端に配設し、三者１，１２，３を合成樹脂にて押出成形する。
【００２３】
上記チャンネル形リブ１２は例えば断面コ字形又はＵ字形を呈し、その内部に上記ケーブル外挿筒体１内のケーブル貫挿腔８と全長において連通する溝１３を形成する。
【００２４】
従って該溝１３は軸線方向の両端において、且つケーブル外挿筒体１の開放面（ケーブル貫挿腔８の開放面）と同一平面において夫々開放されている。
【００２５】
他方図２に示すように、連結板１４の一端下面から第１連結ピン１５を、他端下面から第２連結ピン１６を夫々突設した連結具１７を用意する。
【００２６】
又上記連結具１７には上記チャンネル形リブ１２の左右外側面に嵌合される一対の規制板１８を設ける。
【００２７】
上記連結具１７、即ち連結具１７を形成する連結板１４と第１，第２連結ピン１５，１６と一対の規制板１８とは互いに合成樹脂にて一体成形する。
【００２８】
而して図４，図５に示すように、上記隣接するケーブル保護カバー相互を突き合わせ、即ちケーブル外挿筒体１の端面とチャンネル形リブ１２の端面を互いに突き合わせる。
【００２９】
上記突き合わせ状態において連結具１７の第１連結ピン１５を隣接する一方のケーブル保護カバー、即ちケーブル外挿筒体１の上記チャンネル形リブ１２の端部に形成した連結孔１９に係入すると共に、上記第２連結ピン１６を隣接する他方のケーブル保護カバー、即ちケーブル外挿筒体１の上記チャンネル形リブ１２の端部に形成した連結孔１９に係入し、ケーブル保護カバー相互の連結を図る。
【００３０】
上記連結板１４はチャンネル形リブ１２の頂面に重ね合わせ、第１，第２連結ピン１５，１６は上記チャンネル形リブ１２内側の溝１３内に突出せしめてケーブル貫挿腔８内への突出を防止し、同貫挿腔８内の架設ケーブル４との干渉を防止する。よってケーブル保護カバーを架設ケーブル４に沿って所定位置まで円滑に移動せしめ、移動時のケーブル損傷を防止する。
【００３１】
又図６に示すように、上記連結具１７は第１連結ピン１５を中心にして回動できるようにし、該回動によって第２連結ピン１６を上記チャンネル形リブ１２に設けた第１連結孔１９と隣接せる捨て孔２０に係入し、連結板１４を同連結孔１９と捨て孔２０間においてチャンネル形リブ１２の頂面に重ね、上記ケーブル保護カバーのチャンネル形リブ１２に連結具１７を付属せしめる。
【００３２】
従って各ケーブル保護カバーはケーブル外挿筒体１のチャンネル形リブ１２の各一端側に連結孔１９と捨て孔２０とを夫々具有すると共に、各他端側に連結孔１９を具有する。このケーブル外挿筒体１の両端の連結孔１９は同筒体１の端面から互いに等距離に設ける。上記連結孔１９と捨て孔２０とによって連結具１７をケーブル保護カバーと一体化して、備蓄、運搬、使用が行えるようにする。
【００３３】
而してケーブル保護カバー相互の連結時には、図７，図８に示すように、上記第２連結ピン１６を捨て孔２０から抜去しつつ、１８０度水平回転して該抜去した第２連結ピン１６を、前記の如く隣接し突き合わせたケーブル保護カバーの連結孔１９に係入し連結を図る。
【００３４】
上記一対の規制板１８は第２連結ピン１６を連結孔１９に係入する直前に、隣接するケーブル保護カバーのチャンネル形リブ１２の左右側面に嵌合され、よってチャンネル形リブ１２の左右側面で規制板１８を規制しつつ、第２連結ピン１６と連結孔１９の相対位置を適正に確保し、上記係入をガイドする。
【００３５】
図８に示すように、上記連結板１８は弾性変形可能であり、第２連結ピン１６を連結孔１９に係入する際、連結板１８を上反りして隣接するケーブル保護カバーのチャンネル形リブ１２の上方へ持ち来し、次いで連結板１４を復元しつつ、規制板１８をチャンネル形リブ１２の左右側面に添えながら連結孔１９への係入を行う。この時連結板１４は隣接するケーブル保護カバーのチャンネル形リブ１２間に架橋され、各リブ１２の頂面に重ね合わせられる。
【００３６】
或いは第２連結ピン１６を捨て孔２０から抜去する際、第１，第２連結ピン１５，１６間において上反りしつつ、規制板１８をチャンネル形リブ１２に干渉しない位置まで持ち上げて上記捨て孔２０からの抜去を行い、前記の如く１８０度水平回転して隣接するケーブル保護カバーとの連結に供する。
【００３７】
上記第１，第２連結ピン１５，１６は図２等に示すように、先細にして連結孔１９内への係入を容易にすると共に、該先細部に先端で開口する割２１を入れ、割２１を縮閉しつつ連結孔１９内へ圧入し、圧入後復元して先細部の基端に形成した環状段部２２を連結孔１９の口縁部に係止状態にし、脱出を抑止する。
【００３８】
斯くして連結されたケーブル保護カバー全体が架設ケーブル４長手方向へ移動するのを防止するために、ケーブル外挿筒体１の使用されていない端部連結孔１９を使用し、該連結孔１９に針金や紐２３を通しケーブル支持具９や吊り線１１に結縛し固定する。
【００３９】
【発明の効果】
本発明によれば、口径が同じケーブル保護カバー相互を単に突き合わせ、突き合わせ端部間に連結具を押し込むのみで、容易にカバー相互の連結が行える。
【００４０】
又チャンネル形リブ内側の溝内に連結ピンを受容してケーブル外挿筒体のケーブル貫挿腔内への突出を防止し、ケーブル保護カバーを架設ケーブルに沿って円滑に移動し、この移動の際の連結ピンによるケーブル損傷を回避できる。
【００４１】
又上記構造のケーブル保護カバーは押出成形によって安価に製造し得る。又連結具をケーブル保護カバーと一体化して備蓄、運搬、使用が行える。
【図面の簡単な説明】
【図１】ケーブル保護カバーの要部を示す斜視図。
【図２】連結具の斜視図。
【図３】ケーブル保護カバーを架設ケーブルへ外挿した状態を以って示す横断面図。
【図４】ケーブル保護カバーを架設ケーブルへ外挿した状態を以って示す縦断面図。
【図５】隣接するケーブル保護カバー相互を連結具を以って連結した状態を示す拡大縦断面図。
【図６】ケーブル保護カバーに連結具を付属せしめた状態を示す要部縦断面図。
【図７】ケーブル保護カバーに付属せしめた連結具を１８０度水平回転して隣接するケーブル保護カバーとの連結に供する状態を示す要部縦断面図。
【図８】水平回転した連結具を隣接する保護カバーへ係入する直前の状態を示す要部縦断面図。
【符号の説明】
１…ケーブル外挿筒体、２…筒壁、３…ケーブル導入口、４…架設ケーブル、５…開き止め手段、６，７…係止片、８…ケーブル貫挿腔、９…ケーブル支持具、１０…接続具、１１…吊り線、１２…チャンネル形リブ、１３…溝、１４…連結板、１５…第１連結ピン、１６…第２連結ピン、１７…連結具、１８…規制板、１９…連結孔、２０…捨て孔、２１…割、２２…環状段部、２３…紐
【図１】
0003699076.tif 000002
【図２】
0003699076.tif 000003
【図３】
0003699076.tif 000004
【図４】
0003699076.tif 000005
【図５】
0003699076.tif 000006
【図６】
0003699076.tif 000007
【図７】
0003699076.tif 000008
【図８】
0003699076.tif 000009